(57)【特許請求の範囲】
【請求項１】
畝（４０）に敷設したマルチフィルム（Ｍ）を巻取り回収する巻取り体（２７）と、該巻取り体（２７）の一端側を支持して巻取軸芯回りに巻取り方向に回転する回転体（２１）とを備え、回転体（２１）は、該回転体（２１）の巻取り軸芯方向一側に配置された駆動軸（２３）の端部に固定され、巻取り体（２７）は、回転体（２１）の巻取り軸芯方向他側に、巻取り軸芯方向に沿って並行配置された複数の棒状の巻取り部材（２８）よりなり、各巻取り部材（２８）の一端部は、回転体（２１）に突設された支持部材（２６）に、巻取り部材（２８）にかかる巻取り軸芯方向に垂直な方向の力に対して、回転体（２１）が巻取り部材（２８）を片持ち支持可能とする嵌合長さで挿脱自在に嵌合されていて、巻取り体（２７）が回転体（２１）に片持ち状に支持されており、巻取り体（２７）の他端部には、基板（３０ａ）の側面に、各巻取り部材（２８）に挿脱自在に嵌合して該巻取り部材（２８）の他端部間隔を保持する棒材（３０ｂ）を固定してなる保持部材（２９）を設けていることを特徴とするマルチフィルムの巻取り装置。
【請求項２】
駆動軸（２３）は左右方向に配置されると共に左右方向中央側が軸心回りに回動自在に支持され、回転体（２１）、巻取体（２７）及び保持部材（２９）は、駆動軸（２３）の軸心方向両端側にそれぞれ設けられていることを特徴とする請求項１に記載のマルチフィルムの巻取り装置。
【発明の詳細な説明】
【０００１】
【発明の属する技術分野】
本発明は、圃場の畝に敷設したマルチフィルムを巻き取る巻取り装置に関するものである。
【０００２】
【従来の技術】
従来のマルチフィルムの巻取り装置には、例えば、特開平３−２６２４２５号公報に記載のように、一側部を回転自在に支承させた左右方向の伝動軸と、この伝動軸の突出基部に備えた円板と、該円板に放射状に形成した長孔に内側端部が挿通支持されて前記伝動軸に沿う複数の棒体と、該棒体の外側端部を放射方向に摺動可能に支持する四角板と、前記棒体の内側部側よりも外側部側を小半径にさせうるリンク機構を備えたものがある（従来例１）。
【０００３】
また、実開昭６４−２４９５１号公報に記載のように、同心円状に片持ち支持状態で配列された複数個の棒状の巻取り部材を有する第１の巻取り部と、巻取り部材の自由端側に係脱自在に嵌合される複数個の嵌合部材を有する第２の巻取り部とを設けるとともに第１，第２巻取り部とを連結したマルチフィルム巻取り体を回転自在に設け、第１，第２の巻取り部の嵌合を離脱することで、巻取り部材の自由端部側が縮径するように軸支するようにしたものがある（従来例２）。
【０００４】
そして、実公昭６１−２０１５５１号公報に記載のように、巻取り体を構成する複数のローラ板の一端を側板に蝶番により片持ち支持し、他端を他の側板に取り外し自在とし、ローラ板の他端を他の側板から取り外すことで、ローラ板の他端側を縮径してテーパー状とするものがある（従来例３）。
上記の従来例１の巻取り装置は、マルチフィルムを複数の棒体よりなる巻取り体によりロール状に巻き取った後、該ロール状のフィルムを巻取り体より取り外す際に、リンク機構にて棒体の外側部側を内側部側よりも小半径にさせることで、巻き取られたロール状マルチフィルムの緊張を解き、棒体との間に隙間を生じさせて外側部側からフィルムを抜き取りやすくしており、従来例２，３の巻取り装置は、巻取り部材又はローラ板の一端を蝶番等にて片持ち状に軸支しており、ロール状のマルチフィルムを巻取り装置から取り外す際に、従来例２のものについては、巻取り体を構成する第１巻取り部とを第２巻取り部との嵌合を外し、従来例３のものについては、ローラ板の他端を他の側板から取り外すことで該端部の支持を解き、巻取り部材，ローラ板の自由端部側を縮径してテーパー状にすることで、ロール状になったマルチフィルムを抜き取り易くしている。
【０００５】
【発明が解決しようとする課題】
上記の従来の巻取り装置は、いずれも、棒体，巻取り部材又はローラ板の外側部側（他端側）を小半径にすることでテーパー状にしロール状のマルチフィルムの緊張を解くため、それなりに抜き取り易さの向上は得られるものの、巻取り装置からマルチフィルムを取り外すのに、従来例１，３のものについては直接巻取り体の全体から抜き取るものであるため、特にマルチフィルムの棒体への巻付き圧が更に高い場合等には、棒体等をテーパー状にするのみでは十分に巻付き圧を緩めることができず、ロール状フィルムを棒体等から抜き取りにくく、ロールの崩れ等を招来し、また、巻取り量が多い場合には、ロール状フィルムの重量が重くなり、該フィルムを支えながら巻取り体より抜き取る作業は困難な作業であった。また、従来例２のものについては巻取り体の一部（第２巻取り部）は、予め取りはずされるためフィルムを抜き取る長さは短くなるものの上記のような抜き取り困難性は未だ残されていた。
【０００６】
そこで、本発明は上記問題点に鑑み、特に、巻き取ったマルチフィルムの巻取り圧が高い場合、また、巻取り量が多い場合（巻き取ったフィルムが重い場合）等であっても容易にマルチフィルムを取り外すことができるマルチフィルム巻取り装置を提供することを目的とする。
【０００７】
【課題を解決するための手段】
本発明は、上述の目的を達成するために以下の技術的手段を講じた。
すなわち、畝４０に敷設したマルチフィルムＭを巻取り回収する巻取り体２７と、該巻取り体２７の一端側を支持して巻取り方向に回転する回転体２１とを備え、巻取り体２７にて巻き取ったマルチフィルムＭを取り外す際に該マルチフィルムＭとともに巻取り体２７を回転体２１から離脱可能とするべく、前記巻取り体２７を回転体２１に対して巻取り軸芯方向に挿脱自在に取り付けることを特徴としている。
【０００８】
これによれば、巻取り体２７により巻き取ったロール状のフィルムＭを取り外す際に、フィルムの巻取り圧が強い場合等には、ロール状フィルムＭを支えた状態で巻取り体２７の他端側に向けて巻取り軸芯方向に引っ張ると、フィルムＭの巻取り圧によりフィルムＭとともに巻取り体２７が回転体２１から取り外される。従って巻取り体２７からフィルムＭを抜き取る作業をせずに容易に巻取り装置からフィルムＭを取り外すことができる。また、この際には、フィルムＭを巻取り装置から取り外した後に該フィルムＭから巻取り体２７を抜き取ればよい。
【０００９】
そして、本発明は、前記巻取り体２７は、巻取り軸芯方向に沿って複数が並行配置される棒状の巻取り部材２８よりなり、該複数の巻取り部材２８の夫々の一端部は前記回転体２１に挿脱自在に取り付けられるとともに、巻取り部材２８の夫々の他端部には、該他端部間隔を保持する保持部材２９が着脱自在に取り付けられることを特徴としている。
【００１０】
これによれば、巻取り部材２８へのフィルムＭの巻取り圧が高い場合や巻取り量が多い場合には、上記したように、フィルムＭとともに巻取り部材２８が回転体から抜き取られ、容易にフィルムＭを巻取り装置から取り外すことができるとともに、巻取り圧が低い場合や巻取り量が少ない場合（巻取ったフィルムが非常に軽い場合）であれば、巻取り部材２８の他端部側を保持する保持部材を取り外すことで、巻取り部材２８の一端部は回転体２１に取り付けられて保持されたまま他端部はフリーとなってフィルムＭの巻取り圧等によりテーパー状に径縮し、フィルムＭを巻取り部材２８から容易に抜き取ることが可能である。
【００１１】
また、本発明は、前記巻取り部材２８と回転体２１とは、巻取り部材２８にかかる巻取り軸芯方向に垂直方向の力に対して、回転体２１が巻取り部材２８を支持可能とする嵌合長さで挿脱自在に嵌合されていることを特徴としており、したがって、上記のように回転体２１から巻取り部材２８を巻取り軸芯方向に容易に離脱可能としているとともに、マルチフィルムＭの巻取り時や、巻き取ったマルチフィルムＭの重さ等によってかかる軸芯方向に垂直方向の力によっては巻取り部材２８が容易に回転体２１から外れないようにでき、フィルムＭの巻取り作業を確実なものとし、フィルムＭの取り外し作業を容易ならしめている。
【００１２】
【発明の実施の形態】
以下、図面に基づいて本発明の実施の形態を説明する。
図４は、マルチフィルム回収装置１をトラクタ３８に装着した状態を示しており、該トラクタ３８は、圃場の畝４０間の溝底を走行し、この走行に伴ってマルチフィルム回収装置１にて畝４０上面に敷設したマルチフィルムＭを巻取り回収するようにしている。尚、図４，図６に示すように畝に敷設されたマルチフィルムＭはその左右端縁部分を盛土Ｘにより押さえられている。
【００１３】
マルチフィルム回収装置１は、前部枠４、後部枠５及び左右側部枠６により平面視略矩形状に構成される主フレーム３を有し、該主フレーム３上にはマルチフィルムを巻き取る巻取り装置２０を搭載しており、前部枠４の左右略中央には、ブラケット１３を介してマルチフィルムの左右略中央部分を畝に沿って切断する切断手段１０を備え、同前部枠４の左右寄りには、支持ブラケット１８を介して左右一対の土避け手段１５を備えている。
【００１４】
また、後部枠５の後側面には、支持板３１ａを介して左右方向の軸心回りに回動可能な横ローラ３１を備え、後部枠５の左右略中央上面には、支持板３２ａを介して前後方向の軸心回りに回動可能な左右一対の内ローラ３２を備え、同じく後部枠５の上面の左右寄りには、左右一対の支持ブラケット３３を介して一対の外ローラ３４を備えている。なお、この外ローラ３４の支持ブラケット３３は、その左右内方側が後部寄りとなるように傾斜して設けられており、従って左右の外ローラ３４は、後端部が拡開した状態に配置されている。また、支持ブラケット３３には長孔状の調整孔３３ａを形成し、該調整孔３３ａに外ローラ３４の軸部分を固定するようにしており、外ローラ３４の左右位置を調整孔３３ａの長さの範囲で調整可能となっている。
【００１５】
主フレーム３は、前部枠４の前部から突設した連結ブラケット３ａがトラクタ３８の３点リンク機構３９におけるロアーリンク３９ａに連結され、トップリンク３９ｂに、連結ブラケット３ａ及び後部枠５から延設された上部枠３ｂが連結されることによりトラクタ３８に装着されている。
切断手段１０は、前部枠４に設けた前記ブラケット１３の筒状の保持部１４に挿通された支持杆１１と、該支持杆１１の下端部に左右方向の軸心回りに回動自在に枢支された円盤状の切断刃１２とからなり、前記支持杆１１には上下に複数の位置決め孔１１ａを設けるとともにブラケット１３の保持部１４には前記位置決め孔１１ａに対応可能な少なくとも一つの貫通孔１４ａを形成しており、支持杆１１の位置決め孔１１ａと保持部１４の貫通孔１４ａとを適合させて両孔にピン１９を挿通することで、切断刃１２の上下高さを変更し、位置決め可能となっている。また、ブラケット１３は前部枠４に対して左右に位置変更可能に取り付けられている。
【００１６】
前記土避け手段１５は、前記支持ブラケット１８を介して前部枠４から後方に延設されるとともに、その後端部が下方に屈曲延設されており、その下端部は前下方に弯曲して先細り状の避け板１６をボルト固定してなる。また、土避け手段１５は、後方延設部分においてとぐろ状に捲回されており、該後方延設部分に生じる撓みを該捲回部分１７において吸収することができるようになっている。また、この土避け手段１５の下端部は、畝４０の裾野部分におけるマルチフィルム上面沿った位置に配置されている。そして、支持ブラケット１８は前部枠４に対して左右方向に位置変更可能に備えており、畝４０の幅に応じて調整可能となっている。なお、この土避け手段１５を下方延設部分のみにて形成するとともに主フレーム３の適宜箇所に保持し、上記の切断手段１０の支持杆１１の如く上下調整自在に備えるようにしてもよい。
【００１７】
前記巻取り装置２０は、図５，６に示すように、前後部枠４，５の左右略中央部を前後に繋ぐように設けられた一対の中間枠７上に搭載された正面視門型形状の架台８に設けられており、巻取り装置２０は、架台８の側面に設けられた駆動モータ２２及び架台８の上面に設けられた駆動軸２３と、駆動軸２３の両端部に固定された左右一対の回転体２１と、回転体２１の左右外方側に、回転体２１の回転軸方向に挿脱自在に取り付けられる左右一対の巻取り体２７とを有する。
【００１８】
前記駆動軸２３は、架台８の上面に備えた軸受２４により左右方向の軸心回りに回動自在に支持され、該駆動軸２３の一端部に備えたスプロケット２３ａと、駆動モータ２２の軸部２２ａに設けたスプロケット２２ｂとに伝動チェーン２５が巻回されて駆動モータ２２からの動力が駆動軸２３に伝達されるようになっている。
【００１９】
回転体２１は椀状に形成されており、その底部が左右外方に向いて配置されるように駆動軸２３の両端部に固定され、椀状底部分がマルチフィルムＭを巻き取る際の該フィルムＭの内側端の位置を規制するようになされている。また、回転体２１は、駆動モータ２２からの回転動力が駆動軸２３を介して伝達され、巻取り体２７にてマルチフィルムＭを巻き取らせる方向に回転する。なお、図２に示すように回転体２１は、駆動モータ２２のスプロケット２２ａ、駆動軸２３のスプロケット２３ａ及び伝動チェーン２５を覆うように（椀状の内部に収めるように）設けられており、これらスプロケット２２ａ，２３ａ及び伝動チェーン２５に土等が付着するのを防ぎ円滑な動力伝達を可能とするとともに、外部からの衝突等から保護している。
【００２０】
図１〜３に示すように、巻取り体２７は、回転体２１の外側面に左右外方に向けて突設した複数の棒状の支持部材２６に挿脱自在に嵌合する複数の棒状の巻取り部材２８を、巻取り軸芯方向に沿って並行して配置することで構成されており、本実施形態では、巻取り体２７は２本のパイプ状の巻取り部材２８にてなり、該巻取り部材２８を２箇所の中実棒状の支持部材２６に外嵌することにより回転体２１に取り付けるようになっている。
【００２１】
巻取り部材２８は、切断装置にて切断されて略半分となったマルチフィルムＭの幅よりも長く、即ち、この略半分のマルチフィルムＭを巻き取るのに十分な長さを有している。これに比して支持部材２６は短く形成されており、巻取り部材２８によりマルチフィルムＭを巻き取る場合等に生じる回転体２１の回転軸方向（巻取り軸芯方向）に垂直な力（フィルムＭによって引っ張られる力及び巻き取ったマルチフィルムＭの重さ等）に対して巻取り部材２８を支持可能とするのに必要な長さとなっており、該長さが巻取り部材２８との嵌合長さとなっている。また、２本の支持部材２６の間隔は、巻取り部材２８を回転させることによりマルチフィルムＭを巻取り可能な巻取り芯を形成するべく設定されている。
【００２２】
また、それぞれの巻取り部材２８の自由端部には、２本の巻取り部材２８の自由端部間隔を位置決めし、保持する保持部材２９を設けている。該保持部材２９は、基板３０ａの側面に２本の棒体３０ｂを突設してなり、該棒体３０ｂを巻取り部材２８に長手方向に内嵌することで、２本の巻取り部材２８の自由端側の間隔を一定に保つようになっている。また、２本の支持部材２６間と、保持部材２９の２本の棒体３０ｂ間とは略同一間隔となっており、従って２本の巻取り部材２８は略平行に配置されることとなる。また、保持部材２９の棒体３０ｂは、巻取り部材２８の間隔保持可能な長さであればよく、好ましくは、支持部材２６と同一長さに形成することで同一部材を使用し、部品の共通化を図ることができる。なお、支持部材２６と棒体３０ｂとは中空のパイプ状に形成し、また、巻取り部材２８を中実棒状に形成してもよい。
【００２３】
以下、マルチフィルム回収装置が、畝上面のマルチフィルムを回収する動作を説明する。
まず、畝上面から所定深さ埋まるように支持杆１１の上下高さを調整した切断手段１０の切断刃１２により、トラクタ３８の走行に伴ってマルチフィルムの左右中央を切断する。この際に、図６に示すように切断刃１２は、畝中に広がった作物の根を切断する程度の深さに調整することで、マルチフィルムＭ巻取り後の作物Ｐの抜き取り作業等を容易にすることができる。また、土避け手段１５はトラクタ３８の進行に伴ってマルチフィルムＭを押さえている盛土Ｘを外方に放出するようにしている。なお、図５，６に示すように土避け手段１５は、支持ブラケット１８を左右に位置変更可能することで畝４０の幅に対応させている。また、土避け手段１５は、畝４０の側部に沿って配置していることから畝に倣って回収装置１を進行させるガイド機能をも果たしている。
【００２４】
そして、所定長のマルチフィルムＭを切断し、左右に切断されたマルチフィルムＭの後端部分を内外ローラ３２，３４間及び横ローラ３１に沿わせつつ巻取り装置２０の左右の巻取り体２７に巻き付ける。また、左右のマルチフィルムＭの内側端を回転体２１の外側面に沿わせるように巻取り部材２８に巻き付ける。なお、一対の外ローラ３４は、支持ブラケット３３の調整孔３３ａにより左右位置を変更することで、畝幅の略半分（切断したマルチフィルムＭの幅）に対応させて内ローラ３２との間隔を変更可能である。また、一対の外ローラ３４は後方拡開状とされているため、横ローラ３１に対して鈍角をなして配置されることとなり、マルチフィルムＭを横ローラ３１，外ローラ３４に略広がった状態で沿わせることが可能であり、フィルムＭを巻取り体２７に巻付け易くしている。
【００２５】
そして、マルチフィルムＭを巻取り体２７に巻付けた後、駆動モータ２２を作動させることにより複数の巻取り部材２８が巻取り芯を形成し、トラクタ３８の進行に伴ってマルチフィルムＭの巻取りが行われる。この際に、回転体２１は、マルチフィルムＭの内側端を揃えて巻き付けるべく位置規制をする機能をも有している。
【００２６】
なお、図６の背面視に示すように、左右の巻取り体２７は、畝に敷設されたマルチフィルムＭを内，外ローラ３２，３４間を介して巻取り体２７に巻き付ける間で、若干左右外方に拡げるように配置されている。すなわち、巻取り中には巻取り体２７に対して若干回転体２１の回転軸方向（巻取り軸芯方向）内方への力がかかることとなり、巻取り部材２８の支持部材２６からの左右外方への抜けを防止している。また、図４の側面視に示すように、巻取り体２７は、横ローラ３１及び内外ローラ３２，３４よりも後方に位置しており、巻取り体２７にてフィルムＭを巻き取る際に、フィルムＭの表面はローラ３１，３２，３４と巻取り体２７との間で下向きに傾斜することとなり、フィルムＭ上にのっていた土や作物の根，葉等を落下させ易くしており、該土等をフィルムＭとともに巻き込まないようにしている。
【００２７】
巻取り体２７によるフィルムＭの巻取りが行われるに従い、巻き付いたフィルムＭの外周径は拡大されて、外周速度及び一回転当たりの巻取り量が逐次増大していくため、トラクタ３８の進行量より巻取り体２７の巻取り量が多くなって巻取り圧が高くなり駆動モータ２２に高負荷がかかることがあるが、本実施形態における巻取り装置２０は、図２に示すように、駆動軸２３と回転体２１との固定部分において滑り機構３６を介しており、高負荷時に駆動軸２３と回転体２１間に滑りを生じさせ、回転体２１に適切なトルクを伝達するとともに、トラクタ３８の進行に応じたフィルムの巻取りを可能としている。また、巻取り部材２８は、マルチフィルムＭを巻き付ける際の引っ張り力に対して支持部材２６により支持されている。
【００２８】
マルチフィルムＭをロール状に巻き取った後、該フィルムＭを巻取り装置２０から取り外すには、以下のように行う。
すなわち、図１に示すように、フィルムＭを巻取り軸芯方向左右外方に引っ張ると、該フィルムＭとともに巻取り部材２８が引っ張られ、これにより巻取り部材２８が支持部材２６から離脱する。従って、フィルムＭとともに巻取り部材２８も取り外すようにすることで、特に、フィルムＭの巻取り量が多い場合、また、巻取り圧が大きい場合であっても容易にフィルムＭが巻取り装置２０から取り外される。
【００２９】
なお、支持部材２６と巻取り部材２８とは、棒状体とパイプ状体の長手方向（フィルム引き抜き方向）の嵌合によるため容易にその嵌合を離脱することができる。また、支持部材２６は、巻取り部材２８にかかる巻取り軸芯方向に垂直方向の力に対して巻取り部材２８を支持しうる長さ（巻取り部材２８との嵌合長さ）を有しているため、マルチフィルムＭの引っ張り初期においては、作業者による支持と支持部材２６による支持とにより支えられ、マルチフィルムＭを引っ張ると同時に全加重が作業者にかかるようなことがないようにし、フィルムＭの取り外し作業を容易なものとしている。
【００３０】
そして、フィルムＭ及び巻取り部材２８を取り外した後に、例えばフィルムＭを地面等に置いて安定させた状態でフィルムＭの芯より巻取り部材２８を取り外せば良い。
図１では保持部材２９を巻取り部材２８に取り付けた状態でフィルムＭを取り外すようにしているが、先に保持部材２９を取り外した後フィルムＭ及び巻取り部材２８を取り外すようにしてもよい。いずれの場合においても、マルチフィルムＭから巻取り部材２８を抜き取る際において、保持部材２９を巻取り部材２８から外しておくことにより、複数の巻取り部材２８の間隔は位置規制されることなくそれぞれ単体状態となるため、容易にマルチフィルムＭの芯から抜き取ることができる。
【００３１】
そして、フィルムＭの巻取り量が少ない場合（巻き取ったフィルムが非常に軽い場合）、また、巻取り圧が小さい場合であれば、図２に示すように、まず、保持部材２９を巻取り部材２８の自由端部から外すと、該自由端部間の位置決めが解かれ、支持部材２６と巻取り部材２８との嵌合のガタ、或いはフィルムＭの巻取り圧による巻取り部材２８の撓みにより、２本の巻取り部材２８の自由端間がテーパー状に狭くなる。これにより、巻き取ったフィルムＭの巻付き圧は小さくなり、巻取り部材２８から容易にマルチフィルムＭは抜き取られ、巻取り装置２０から取り外し可能となる。この際には、巻取り部材２８は、回転体２１に取り付けられたままの状態となるため、次の巻取り作業において再び巻取り部材２８を取り付ける作業は必要としない。
【００３２】
上記のように、回転体２１の支持部材２６，巻取り部材２８，保持部材２９の棒体３０ｂは、マルチフィルムＭの巻取り時や、巻き取ったマルチフィルムＭの重さを支えるに際して、巻取り軸芯方向に垂直方向の荷重はかかるが、該軸芯方向の荷重はほとんどかからないため、巻取り軸芯方向に挿脱自在に嵌合されるようにそれぞれを棒材、パイプ材等の極めて簡単な構造で形成できるようになっている。
【００３３】
なお、巻取り体２７は、回転体２１に挿脱自在としていることから、マルチフィルムの巻取りの際等に巻取り体２７が折れ曲がったり、破損した場合には、巻取り体のみを交換すればよく、また、その交換作業も容易である。
本発明は、上記実施形態に限ることなく、例えば、回転体から突設した支持部材を回転径内方に傾斜して設けることができ、この場合には、保持部材を巻取り部材から外した状態で、巻取り部材が強制的にテーパー状に傾斜するようになり、上記したようなマルチフィルムＭの巻取り量が少ない場合等の該フィルムの取り外しを容易にすることができる。また、このように支持部材を傾斜させた場合に、保持部材の棒体を傾斜させずに平行とすることで、保持部材を取り付けた際には、支持部材に嵌合してテーパー状となった巻取り部材を平行状態に矯正するようになり、支持部材，巻取り部材及び保持部材の相互の嵌合に若干こじれが生じて強固な嵌合となり、巻取り部材，保持部材が自然に外れるのを防止することができる。
【００３４】
巻取り体は上記実施形態においては２本の巻取り部材にて構成したが、２本以上の複数本であってもよく、この場合も巻取り部材に対応させて支持部材、保持部材を設ける等適宜設計変更可能である。
【００３５】
【発明の効果】
以上詳述したように、本発明は、巻取り体にて巻き取ったマルチフィルムを取り外す際に、マルチフィルムとともに巻取り体を回転体から離脱可能とするべく巻取り体を回転体に対して巻取り軸芯方向に挿脱自在に取り付けているため、巻き取ったロール状のフィルムを支えた状態で巻取り体の他端側に向けて軸芯方向に引っ張ると、フィルムの巻取り圧によりフィルムとともに巻取り体が回転体から取り外され、特に、巻取り圧が高い場合や巻取り量が多い場合（巻き取ったフィルムが重い場合）であっても巻取り体からフィルムを抜き取る作業をせずに容易に巻取り装置からフィルムを取り外すことができる（請求項１）。
【００３６】
そして、本発明は、前記巻取り体を構成する複数の棒状の巻取り部材の夫々の一端部は前記回転体に挿脱自在に取り付けられ、巻取り部材の夫々の他端部には、該他端部間隔を保持する保持部材が着脱自在に取り付けられるため、巻取り部材へのフィルムの巻取り圧が高い場合や巻取り量が多い場合等には、上記と同様に、フィルムとともに巻取り部材が回転体から抜き取られ、容易にフィルムを巻取り装置から取り外すことができる。
【００３７】
そして、巻取り圧が低い場合や巻取り量が少ない場合（巻き取ったフィルムが非常に軽い場合）であれば、巻取り部材の他端部側を保持する保持部材を取り外すことで、巻取り部材の一端部は回転体に取り付けられて保持されたまま他端部はフリーとなってフィルムの巻取り圧等によりテーパー状に径縮し、フィルムを巻取り部材から容易に抜き取ることが可能である（請求項２）。
【００３８】
また、本発明は、前記巻取り部材と回転体とは、巻取り部材にかかる巻取り軸芯方向に垂直方向の力に対して、回転体が巻取り部材を支持可能とする嵌合長さで挿脱自在に嵌合されているため、上記のように回転体から巻取り部材を巻取り軸芯方向に容易に離脱可能としているとともに、マルチフィルムの巻取り時や、巻き取ったマルチフィルムの重さ等によってかかる前記軸芯方向に垂直方向の力によっては巻取り部材が容易に回転体から外れないようにでき、フィルムの巻取り作業を確実なものとし、また、フィルムの取り外し作業を容易とすることができる（請求項３）。
【図面の簡単な説明】
【図１】本発明の実施形態に係る要部の正面図である。
【図２】同要部の正面図である。
【図３】同要部の分解斜視図である。
【図４】本発明の実施形態に係る巻取り装置を備えたフィルム回収装置の全体側面図である。
【図５】同平面図である。
【図６】同背面図である。
【符号の説明】
２０  マルチフィルム巻取り装置
２１  回転体
２７  巻取り体
２８  巻取り部材
２９  保持部材
４０  畝
Ｍ  マルチフィルム
【図１】
0003616441.tif 000002
【図２】
0003616441.tif 000003
【図３】
0003616441.tif 000004
【図４】
0003616441.tif 000005
【図５】
0003616441.tif 000006
【図６】
0003616441.tif 000007